(57)【要約】【課題】形成する画像の調整を効率的に行うことができる画像形成システムを提供する。【解決手段】画像形成システム２４は、画像を形成する複合機１１と、複合機１１に接続可能なコンピューター４１とを含む。複合機１１は、出力用紙画像読み取り部３５と、読み取り制御部５３と、複合機ネットワークインターフェース部１８とを備える。出力用紙画像読み取り部３５は、出力口２６から出力された出力用紙の画像を読み取る。読み取り制御部５３は、画像形成部１５により画像が形成された用紙が排出トレイ２５に出力される際に、出力用紙の画像を出力用紙画像読み取り部３５により読み取るよう制御する。複合機ネットワークインターフェース部１８は、判断部５４によりコンピューター４１に送信すると判断されれば、出力用紙の画像データをコンピューター４１に送信する。【選択図】図４
2019102924.tif 000002
【特許請求の範囲】
【請求項１】
画像を形成する画像形成装置と、前記画像形成装置に接続可能なコンピューターとを含む画像形成システムであって、
前記画像形成装置は、
用紙に画像を形成する画像形成部と、
前記画像形成部により画像が形成された用紙が出力される出力口と、
前記出力口から出力された出力用紙の画像を読み取る出力用紙画像読み取り部と、
前記画像形成部による画像形成の要求を受け付ける受け付け部と、
前記受け付け部により前記画像形成の要求が受け付けられれば、前記画像形成部により画像を用紙に形成するよう制御する画像形成制御部と、
前記画像形成部により画像が形成された用紙が前記出力部に出力される際に、前記出力用紙の画像を前記出力用紙画像読み取り部により読み取るよう制御する読み取り制御部と、
前記出力用紙画像読み取り部により読み取られた前記出力用紙の画像データを前記コンピューターに送信するか否かを判断する判断部と、
前記判断部により前記コンピューターに送信すると判断されれば、前記出力用紙の画像データを前記コンピューターに送信する画像形成装置送信部とを備え、
前記コンピューターは、
前記画像形成装置送信部から送信された前記出力用紙の画像データを受信するコンピューター受信部を備える、画像形成システム。
【請求項２】
前記受け付け部により受け付けられた画像形成の要求は、前記画像形成部による画像調整用の画像形成の要求であり、
前記コンピューターは、
前記コンピューター受信部により受信された前記出力用紙の画像データから前記画像形成部における画像調整のデータを導出するコンピューター導出部と、
前記コンピューター導出部により導出された前記画像調整のデータを送信するコンピューター送信部とを備え、
前記画像形成装置は、
前記コンピューターから送信される前記画像調整のデータを受信する画像形成装置受信部と、
前記画像形成装置受信部により受信された前記画像調整のデータを前記画像形成部における画像形成の際に反映するよう調整する調整部とを備える、請求項１に記載の画像形成システム。
【請求項３】
前記画像形成装置は、情報の入力を受け付ける操作部を備え、
前記判断部は、前記操作部により入力された、前記コンピューターに前記出力用紙の画像データを送信する旨の設定を受け付ければ、前記コンピューターに前記出力用紙の画像データを送信すると判断する、請求項１または請求項２に記載の画像形成システム。
【請求項４】
前記出力用紙画像読み取り部は、前記出力用紙に画像が形成される面に対向するように設けられている、請求項１〜請求項３のいずれか１項に記載の画像形成システム。
【請求項５】
前記画像形成装置は、原稿の画像を読み取る原稿画像読み取り部と、
前記原稿画像読み取り部により読み取られた前記出力用紙の画像から前記画像形成部における画像調整のデータを導出する画像形成装置導出部とを備え、
前記調整部は、前記判断部により前記出力用紙の画像データを前記コンピューターに送信しないと判断されれば、前記画像形成装置導出部により導出された前記画像調整のデータを前記画像形成部における画像形成の際に反映する、請求項１〜請求項４のいずれか１項に記載の画像形成システム。
【発明の詳細な説明】
【技術分野】
【０００１】
この発明は、画像形成システムに関するものである。
【背景技術】
【０００２】
複合機に代表される画像形成装置においては、画像データを基に、感光体に対して光を照射し、感光体上に静電潜像を形成する。その後、形成した静電潜像の上に帯電したトナーを供給して可視画像とした後、用紙に転写して定着させ、装置外に出力される。
【０００３】
画像形成装置において、形成された画像の色ずれ等の位置の調整に関する技術が、特開平９−３３１４１５号公報（特許文献１）、および特開２００４−２５７８４号公報（特許文献２）に開示されている。
【０００４】
特許文献１に開示の画像処理装置によると、記録紙サイズに対応する画像の記録位置確認用のパターン出力を行う操作制御手段と、前記操作制御手段による制御の実行時に、前記パターンが当該定形記録紙の内部に印刷されるようにフォーマットするフォーマット作成手段と、前記パターンをページメモリ上に出力イメージとして展開するイメージ展開手段と、展開されたパターンの画像を自機の記録部によって印刷する印刷制御手段とを具備し、普通紙を使用して記録を行う。画像処理装置は、前記出力された記録位置確認用のパターン画像の計測結果によって求められる記録位置の誤差情報を入力する誤差情報入力手段と、前記記録位置の誤差情報を記憶する誤差情報記憶手段と、前記記録位置の誤差情報を確認する誤差情報確認手段、とを備えたことを特徴としている。
【０００５】
また、特許文献２に開示の画像形成装置は、基準タイミングからのずれ量を視覚で識別させるためのパターンに当該パターンを選択するための識別子が印字された印刷物に基づいて印字位置の調整量を設定させる画像形成装置である。画像形成装置は、認定されている調整量に基づくずれ量を識別させるためのパターンに基準となる識別子が対応づけられ、且つ設定可能な全ての調整量に基づくパターンが印字された前記印刷物を出力する調整量印字手段を有することを特徴としている。
【先行技術文献】
【特許文献】
【０００６】
【特許文献１】特開平９−３３１４１５号公報
【特許文献２】特開２００４−２５７８４号公報
【発明の概要】
【発明が解決しようとする課題】
【０００７】
例えば画像形成装置においては、長期間に亘る使用等により、形成する画像の位置がずれたり、画質の調整が必要となる場合がある。このような場合に備えて、サービスマン等が定期的に画像形成装置のメンテナンスを行い、位置ずれ等を調整することが行われている。具体的には、画像の位置の調整については、位置調整用の画像を用紙に形成して出力する。そして、出力された用紙を再び画像形成装置に備えられる原稿画像読み取り部により読み取らせて、どの程度、形成された画像の位置が基準の位置からずれているかを画像形成装置でチェックする。その後、チェック結果に基づき、画像形成の際の位置のずれを調整する。
【０００８】
ここで、位置調整用の画像を形成した際に、出力された用紙を再び原稿画像読み取り部により読み取らせる必要がある。この場合の出力用紙のセット等は、主にサービスマンやユーザーが行うこととなるが、このような作業は煩雑となるおそれがある。すなわち、形成された画像の位置ずれ等を調整する際に、画像形成装置の周辺にサービスマンやユーザーが滞在しなければならない。このような状況はコストアップの要因ともなるため、回避することが望ましい。すなわち、形成された画像の位置ずれや画質の調整における効率化が求められる。特許文献１および特許文献２に開示の技術では、このような場合に対応することができない。
【０００９】
この発明の目的は、形成する画像の調整を効率的に行うことができる画像形成システムを提供することである。
【課題を解決するための手段】
【００１０】
この発明に係る画像形成システムは、画像を形成する画像形成装置と、画像形成装置に接続可能なコンピューターとを含む。画像形成装置は、画像形成部と、出力口と、出力用紙画像読み取り部と、受け付け部と、画像形成制御部と、読み取り制御部と、判断部と、画像形成装置送信部とを備える。画像形成部は、用紙に画像を形成する。出力口は、画像形成部により画像が形成された用紙が出力される。出力用紙画像読み取り部は、出力口から出力された出力用紙の画像を読み取る。受け付け部は、画像形成部による画像形成の要求を受け付ける。画像形成制御部は、受け付け部により画像形成の要求が受け付けられれば、画像形成部により画像を用紙に形成するよう制御する。読み取り制御部は、画像形成部により画像が形成された用紙が出力部に出力される際に、出力用紙の画像を出力用紙画像読み取り部により読み取るよう制御する。判断部は、出力用紙画像読み取り部により読み取られた出力用紙の画像データをコンピューターに送信するか否かを判断する。画像形成装置送信部は、判断部によりコンピューターに送信すると判断されれば、出力用紙の画像データをコンピューターに送信する。コンピューターは、コンピューター受信部を備える。画像形成装置送信部から送信された出力用紙の画像データを受信する。
【発明の効果】
【００１１】
このような画像形成システムによれば、形成する画像の調整を効率的に行うことができる。
【図面の簡単な説明】
【００１２】
【図１】この発明の一実施形態に係る画像形成システムの外観を示す概略図である。
【図２】図１に示す画像形成システムの構成を示すブロック図である。
【図３】図１に示す画像形成システムに含まれる複合機を示す図である。
【図４】複合機制御部の構成を示すブロック図である。
【図５】形成した画像の色ずれを調整する場合の処理の流れを示すフローチャートである。
【図６】形成された画像調整用の出力用紙の一例を示す図である。
【図７】操作部に含まれる表示画面に表示された受け付け画面の一例を示す図である。
【図８】ジョブ設定を行う際の表示画面の一例を示す図である。
【発明を実施するための形態】
【００１３】
以下、この発明の実施の形態を説明する。図１は、この発明の一実施形態に係る画像形成システム２４の外観を示す概略図である。図２は、図１に示す画像形成システム２４の構成を示すブロック図である。図３は、図１に示す画像形成システム２４に含まれる画像形成装置を複合機１１に適用した場合の複合機を示す図である。
【００１４】
図１〜図３を参照して、画像形成システム２４は、画像形成装置としての複合機１１と、複合機１１とネットワーク２３を介して接続可能なコンピューター４１とを含む。
【００１５】
ここでまず、複合機１１の構成について説明する。複合機１１は、画像処理に関し、複写機能、プリンター機能、ファクシミリ機能等、複数の機能を有する。複合機１１は、複合機制御部１２と、表示画面２１を含む操作部１３と、ＡＤＦ２２を含む原稿画像読み取り部１４と、画像形成部１５と、二つの給紙カセット１６ａ、１６ｂと、複合機ハードディスク１７と、ネットワーク２３と接続するための画像形成装置送信部および画像形成装置受信部としての複合機ネットワークインターフェース部１８と、出力部としての排出トレイ２５と、出力口２６とを備える。なお、複合機１１において、出力される用紙が搬送される方向については、図３中の矢印Ｄ１で示されている。
【００１６】
複合機制御部１２は、複合機１１全体の制御を行う。なお、複合機制御部１２は、ＣＰＵ（Ｃｅｎｔｒａｌ  Ｐｒｏｃｅｓｓｉｎｇ  Ｕｎｉｔ）等から構成されており、一時的にデータを記憶する主記憶メモリ１９を含む。図３において、複合機制御部１２は、二点鎖線で概略的に示している。タッチパネル型式の表示画面２１を含む操作部１３は、複合機１１側からの情報を表示すると共に、印刷部数や階調等といった画像形成の条件や電源のオンまたはオフをユーザーに入力させる。原稿画像読み取り部１４は、原稿を搬送する原稿搬送装置としてのＡＤＦ（Ａｕｔｏ  Ｄｏｃｕｍｅｎｔ  Ｆｅｅｄｅｒ）２２または載置台上にセットされた原稿の画像を読み取る。画像形成部１５は、原稿画像読み取り部１４により読み取られた画像データやネットワーク２３を介して複合機１１に送信された画像データを基に、第一の給紙カセット１６ａ、または第二の給紙カセット１６ｂにセットされ、搬送されてきた用紙に画像を形成する。画像形成部１５により画像を形成された用紙は、出力口２６から排出トレイ２５に排出される。
【００１７】
次に、複合機１１に備えられる画像形成部１５の構成について、さらに詳細に説明する。画像形成部１５は、ＬＳＵ（Ｌａｓｅｒ  Ｓｃａｎｎｅｒ  Ｕｎｉｔ）２７と、中間転写ユニットとしての転写ベルト２８と、転写部としての二次転写ローラー２９とを含む。ＬＳＵ２７については、一点鎖線で概略的に示している。なお、複合機１１は、いわゆる四連タンデム形式の画像形成部１５を備えることとなる。
【００１８】
画像形成部１５は、イエロー、マゼンタ、シアン、ブラックの各４色に対応し、それぞれ感光体３２ａ、３２ｂ、３２ｃ、３２ｄを含む四つの感光体ユニット３１ａ、３１ｂ、３１ｃ、３１ｄ、および四つの現像器としての現像ユニット３３ａ、３３ｂ、３３ｃ、３３ｄを備える。図３において、感光体ユニット３１ａ〜３１ｄ、および現像ユニット３３ａ〜３３ｄについては、それぞれ概略的に示している。
【００１９】
ＬＳＵ２７は、原稿画像読み取り部１４により読み取られた画像データや受信した画像データを基に、四つの感光体３２ａ〜３２ｄに対してそれぞれ露光する。露光された各色の成分の光を基に、感光体３２ａ〜３２ｄ上に静電潜像が形成される。感光体３２ａ〜３２ｄ上に形成された静電潜像に現像ユニット３３ａ〜３３ｄからそれぞれ各色のトナーを供給することで、感光体３２ａ〜３２ｄ上にそれぞれトナー像を形成する。感光体３２ａ〜３２ｄ上に形成されたトナー像はそれぞれ、転写ベルト２８上に一次転写される。転写ベルト２８上に一次転写されたトナー像は、二次転写ローラー２９によって用紙に二次転写された後、一対の定着ローラー３４ａ、３４ｂによって用紙に定着され、排出トレイ２５に排出される。
【００２０】
ここで、複合機１１は、出力された用紙の画像を読み取る出力用紙画像読み取り部３５を備える。出力用紙画像読み取り部３５は、出力口２６に対して出力用紙が出力される方向の下流側であって、出力用紙に画像が形成される面に対向するように設けられている。出力用紙画像読み取り部３５は、出力用紙に光を照射し、その反射光を受光することにより、出力用紙の画像を読み取る。
【００２１】
次に、複合機制御部１２の構成について説明する。図４は、複合機制御部１２の構成を示すブロック図である。併せて図４を参照して、複合機制御部１２は、受け付け部５１と、画像形成制御部５２と、読み取り制御部５３と、判断部５４と、調整部５５とを備える。受け付け部５１は、画像形成部１５による画像形成の要求を受け付ける。画像形成制御部５２は、受け付け部５１により画像形成の要求が受け付けられれば、画像形成部１５により画像を用紙に形成するよう制御する。読み取り制御部５３は、画像形成部１５により画像が形成された用紙が排出トレイ２５に出力される際に、出力用紙の画像を出力用紙画像読み取り部３５により読み取るよう制御する。判断部５４は、出力用紙画像読み取り部３５により読み取られた出力用紙の画像データをコンピューター４１に送信するか否かを判断する。調整部５５は、複合機ネットワークインターフェース部１８により受信された画像調整のデータを画像形成部１５における画像形成の際に反映するよう調整する。これらの構成については、後に詳述する。
【００２２】
次に、コンピューター４１の構成について説明する。コンピューター４１には、ディスプレイ４２と、キーボード４３と、マウス４４とが接続されている。ディスプレイ４２により、コンピューター４１からの情報やデータが表示される。また、キーボード４３およびマウス４４を用いて、ユーザーは、ディスプレイ４２に表示される画面を確認しながら、コンピューター４１へのデータの入力を行う。
【００２３】
コンピューター４１は、コンピューター４１自身を制御するコンピューター制御部４６と、ネットワーク２３と接続するためのコンピューター送信部およびコンピューター受信部としてのコンピューターネットワークインターフェース部４７と、データを記憶するコンピューターハードディスク４８とを含む。コンピューターハードディスク４８についても、ファイルの画像データ等、種々のデータを記憶する。コンピューター制御部４６は、出力用紙の画像データから画像形成部１５における画像調整のデータを導出するコンピューター導出部４９を含む。
【００２４】
次に、このような画像形成システム２４を用いて、形成した画像の色ずれを調整する場合について説明する。図５は、形成した画像の色ずれを調整する場合の処理の流れを示すフローチャートである。
【００２５】
併せて図５を参照して、まず、受け付け部５１は、画像形成部１５による画像調整用の画像形成の要求を受け付ける（図５において、ステップＳ１１、以下、「ステップ」を省略する）。画像調整用の画像形成の要求を受け付けると、コンピューター４１への送信を受け付けたか否かを判断する（Ｓ１２）。この場合、操作部１３において設定された「マニュアル」の設定か、「オート」の設定か、「フルオート」の設定かに基づいて判断される。なお、「マニュアル」の設定においては、色ずれ調整の全ての操作を、サービスマンやユーザーによるいわゆる手入力で行うものである。「オート」の設定においては、色ずれ調整用に形成した画像を原稿画像読み取り部１４により読み取らせる際の出力用紙のセット等をサービスマンやユーザーが行うものである。すなわち、「マニュアル」の設定時および「オート」の設定時においては、サービスマン等が複合機１１の周辺に滞在しなければならない設定である。「フルオート」の設定においては、コンピューター４１への送信を受け付けたと判断する（Ｓ１２において、ＹＥＳ）。すなわち、判断部５４は、操作部１３により入力された、コンピューター４１に出力用紙の画像データを送信する旨の設定を受け付ければ、コンピューター４１に出力用紙の画像データを送信すると判断する。なお、「フルオート」の設定については、遠隔、例えば、コンピューター４１からも可能である。
【００２６】
その後、画像形成部１５により画像調整用の画像を用紙に形成して出力する（Ｓ１３）。この画像調整用の画像データは、複合機１１、例えば、複合機ハードディスク１７に記憶されている。なお、併せて複合機１１には、後述する色ずれ調整用画像５７ａ〜５７ｋ、５８ａ、５８ｂから構成される画像調整用の画像データに関連するデータや正常値、すなわち、正常な位置等に関するデータ等が記憶されている。図６は、形成された画像調整用の出力用紙の一例を示す図である。図６を参照して、出力用紙５６には、複数の色ずれ調整用画像５７ａ、５７ｂ、５７ｃ、５７ｄ、５７ｅ、５７ｆ、５７ｇ、５７ｈ、５７ｉ、５７ｊ、５７ｋ、５８ａ、５８ｂが形成されている。これらは、それぞれ間隔をあけて形成されており、それぞれイエロー、シアン、マゼンタ、ブラックといった４色の矩形のパッチ画像が並べて配置されて構成されている。色ずれの補正時においては、例えば、色ずれ調整用画像５７ｅの一方側の端部５９ｅと色ずれ調整用画像５７ｆの一方側の端部５９ｆとの距離Ｌ１が基準の長さよりもどの程度ずれているかを判断して、色ずれの補正値を導出する。
【００２７】
ここで、形成された出力用紙５６については、出力用紙画像読み取り部３５により画像が読み取られる（Ｓ１４）。すなわち、図６に示す出力用紙５６の画像が読み取られる。この時、出力用紙画像読み取り部３５は、上記した位置に設けられているため、排出トレイ２５に排出された際には、既に出力用紙５６の画像は読み取られている。
【００２８】
その後、複合機送信部としての複合機ネットワークインターフェース部１８は、読み取られた画像データをコンピューター４１へ送信する（Ｓ１５）。そして、コンピューター４１に備えられるコンピューター受信部としてのコンピューターネットワークインターフェース部４７は、複合機１１からの画像データを受信する（Ｓ１６）。
【００２９】
画像データを受信後、コンピューター導出部４９は、受信した画像データから調整値を導出する（Ｓ１７）。コンピューター導出部４９は、予めコンピューター４１のコンピューターハードディスク４８に記憶されているそれぞれの色ずれ調整用画像５７ａ〜５７ｋ、５８ａ、５８ｂの正常値のデータに基づいてずれを算出し、ずれ量から調整値を導出する。
【００３０】
導出された調整値については、コンピューター送信部としてのコンピューターネットワークインターフェース部４７から複合機１１へ送信される（Ｓ１８）。複合機ネットワークインターフェース部１８は、コンピューター４１から送信された調整値のデータを受信する（Ｓ１９）。
【００３１】
その後、複合機１１に備えられる調整部５５により、受信した調整値のデータに基づき、画像調整のデータを画像形成部１５における画像形成の際に反映するよう調整する（Ｓ２０）。
【００３２】
このような構成の画像形成システム２４によれば、出力用紙５６の画像について、出力用紙画像読み取り部３５により読み取っているため、改めて出力用紙５６の画像をセットして読み取らせる等の煩雑な作業が生じることはない。また、読み取られた画像データは、コンピューター４１に送信されるため、複合機１１から離れた場所において、複合機１１の色ずれを調整することができる。したがって、形成する画像の調整を効率的に行うことができる。
【００３３】
なお、上記の実施の形態においては、Ｓ１２において、コンピューター４１への送信を受け付けていないと判断されれば（Ｓ１２において、ＮＯ）、すなわち、「フルオート」の設定がなされていなければ、まず、画像形成部１５により色ずれ調整用の画像が形成され、出力される（Ｓ２１）。その後、サービスマンやユーザーによる操作によって、原稿画像読み取り部１４により出力画像を読み取れば（Ｓ２２において、ＹＥＳ）、読み取られた画像データを共に調整値を導出して（Ｓ２３）、調整値を反映させる（Ｓ２４）。すなわち、複合機１１には、それぞれの色ずれ調整用画像５７ａ〜５７ｋ、５８ａ、５８ｂの正常値のデータが記憶されており、複合機１１は、原稿画像読み取り部１４により読み取られた出力用紙の画像から画像形成部１５における画像調整のデータを導出する画像形成装置導出部を備え、調整部５５は、判断部５４により出力用紙の画像データをコンピューターに送信しないと判断されれば、画像形成装置導出部により導出された画像調整のデータを画像形成部１５における画像形成の際に反映するようにしてもよい。
【００３４】
なお、上記の実施の形態においては、色ずれ調整用の画像を形成して複合機１１の色ずれを調整する場合について説明したが、これに限らず、複合機１１の画質の調整をする際にも適用される。すなわち、複合機１１において画像を形成して出力する際に、出力用紙の画像を出力用紙画像読み取り部３５によって読み取らせるようにする。そして、読み取らせた画像のデータを基に、画質を調整する。なお、この場合も、複合機１１からだけではなく、遠隔、例えば、コンピューター４１からも可能である。
【００３５】
この場合、複合機１１の有するジョブに応じて画像を読み取らせたり、全ての画像形成において画像を読み取らせる設定とすることもできる。図７は、操作部１３に含まれる表示画面２１に表示された受け付け画面の一例を示す図である。図７を参照して、表示画面２１には、「印字・出力結果送信設定」との表示６１と、「送信しない」との文字６２ａと、文字６２ａの横側に配置され、タッチにより設定を受け付けるチェックボックス６３ａと、「ジョブ設定に従う」との文字６２ｂと、文字６２ｂの横側に配置され、タッチにより設定を受け付けるチェックボックス６３ｂと、「全て送信する」との文字６２ｃと、文字６２ｃの横側に配置され、タッチにより設定を受け付けるチェックボックス６３ｃと、「→  送信先詳細設定」との文字６４とが示されている。チェックボックス６３ａにチェックが入力されると、出力用紙画像読み取り部３５により読み取られた画像データをコンピューター４１に送信しない。チェックボックス６３ｃにチェックが入力されると、出力用紙画像読み取り部３５により読み取られた画像データをコンピューター４１に全て送信する。チェックボックス６３ｂにチェックが入力されると、次の表示画面２１へ遷移する。
【００３６】
図８は、ジョブ設定を行う際の表示画面２１の一例を示す図である。図８を参照して、表示画面２１には、「コピー（拡張設定）」との表示６６と、「印字結果を規定送信先へ送信する」との文字６７と、文字６７の横側に配置され、タッチにより設定を受け付けるチェックボックス６８とが示されている。この場合、ジョブとしてのコピーを行った際に、印字結果を規定送信先としてのコンピューター４１へ送信する設定がなされる。ここでいう印字結果は、出力用紙画像読み取り部３５により読み取られた画像データのことをいう。
【００３７】
このような設定に基づいて、画像が形成された場合には、コピーを行った際に、出力用紙画像読み取り部３５により画像が読み取られる。そして、読み取られた画像のデータが、コンピューター４１に送信される。コンピューター４１は、受信した画像データから、出力画像の画質等を導出し、画質の調整を行う。調整値については、コンピューター４１から送信される。
【００３８】
このように構成することによっても、形成する画像の調整、この場合、画質の調整を効率的に行うことができる。
【００３９】
なお、上記の実施の形態において、ジョブ設定について、プリンター機能を利用する際に、印字結果をコンピューター４１へ送信する設定とすることもできる。
【００４０】
また、上記の実施の形態において、出力用紙画像読み取り部３５により読み取られた画像データを単にコンピューター４１へ送信する構成であってもよい。こうすることによって、コンピューター４１側で出力用紙の画像の画質に関するデータを取得して、これを画質の調整に利用することができる。
【００４１】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４２】
この発明に係る画像形成システムは、効率的な画像の調整が要求される場合に、特に有効に利用される。
【符号の説明】
【００４３】
１１  複合機、１２  複合機制御部、１３  操作部、１４  原稿画像読み取り部、１５  画像形成部、１６ａ，１６ｂ  給紙カセット、１７  複合機ハードディスク、１８  複合機ネットワークインターフェース部、１９  主記憶メモリ、２１  表示画面、２２  ＡＤＦ、２３  ネットワーク、２４  画像形成システム、２５  排出トレイ、２６  出力口、２７  ＬＳＵ、２８  転写ベルト、２９  二次転写ローラー、３１ａ，３１ｂ，３１ｃ，３１ｄ  感光体ユニット、３２ａ，３２ｂ，３２ｃ，３２ｄ  感光体、３３ａ，３３ｂ，３３ｃ，３３ｄ  現像ユニット、３４ａ，３４ｂ  定着ローラー、３５  出力用紙画像読み取り部、４１  コンピューター、４２  ディスプレイ、４３  キーボード、４４  マウス、４６  コンピューター制御部、４７  コンピューターネットワークインターフェース部、４８  コンピューターハードディスク、４９  コンピューター導出部、５１  受け付け部、５２  画像形成制御部、５３  読み取り制御部、５４  判断部、５５  調整部、５６  出力用紙、５７ａ，５７ｂ，５７ｃ，５７ｄ，５７ｅ，５７ｆ，５７ｇ，５７ｈ，５７ｉ，５７ｊ，５７ｋ，５８ａ，５８ｂ  色ずれ調整用画像、５９ａ，５９ｂ  端部、６１，６６  表示、６２ａ，６２ｂ，６２ｃ，６７  文字、６３ａ，６３ｂ，６３ｃ，６８  チェックボックス。
【図１】
2019102924.tif 000003
【図２】
2019102924.tif 000004
【図３】
2019102924.tif 000005
【図４】
2019102924.tif 000006
【図５】
2019102924.tif 000007
【図６】
2019102924.tif 000008
【図７】
2019102924.tif 000009
【図８】
2019102924.tif 000010